(57)【要約】【課題】箱詰め時に製品や添付書類の入れ忘れがあった場合、出荷前に箱詰めし直し、確実に入れ忘れの無い箱を出荷できるようにする方法を提供する。【解決手段】箱内の撮影用カメラを設置し、撮影画面が箱詰め担当者または監督者に見えるようカメラ用モニターやハードディスク内蔵モニター付きコンピューターと接続し、箱詰め時の画像を撮影しカメラ内の記録媒体やハードディスク等に記録保管し、画像データから箱に記載の連番等の撮影部分と箱内に詰めるべきものが全て入っていることが確認できる時点、例えば製品を入れ終わった時点や、添付書類が全て撮影方向から確認できる時点で写真撮影を実施した後、箱を閉め、箱詰め作業終了時に記録された画像を全てモニターで再確認し、入れ忘れの有無を確認し、不足のあった箱は開けて再度必要な製品や添付書類を入れるか、新しい箱を用意して移し、不足分の製品や添付書類を入れ不足の無いようにし、写真撮影し閉じることで、確実に入れ忘れの無い箱を出荷できるようにする。【選択図】図１
2016222338.tif 000002
【特許請求の範囲】
【請求項１】
箱内の撮影の邪魔や箱詰め担当者の邪魔とならない位置に撮影用カメラを設置し、撮影画面が箱詰め担当者または監督者に見えるようカメラ用モニターやモニター付きコンピューターと接続し、箱詰め時の画像を撮影しカメラ内の記録媒体例えばＳＤカードやモニター付きコンピューター内蔵のハードディスク等の記録媒体に記録保管し、箱詰め作業終了時にカメラ内の記録媒体やコンピューター内臓のハードディスク等の記録媒体に記録された画像を全て再確認できるようにした箱詰め時入れ忘れ防止装置。
【請求項２】
画像から箱を特定できるよう箱に記載の連番等の撮影部分と箱内に詰めるべきものが全て入っていることが確認できる時点、例えば製品を入れ終わった時点や、添付書類が全て撮影方向から確認できる時点で写真撮影を実施した後、箱を閉め、箱詰め作業終了時にカメラ内の記録媒体やモニター付きコンピューター内臓のハードディスク等の記録媒体に記録された画像を全てモニターで再確認し、入れ忘れの有無を確認し、不足のあった箱は開けて再度必要な製品や添付書類を入れるか、新しい箱を用意して移し、不足分の製品や添付書類を入れ不足の無いようにし、写真撮影し閉じることで、入れ忘れのない箱を出荷する請求項１に記載の箱詰め時入れ忘れ防止装置を用いた入れ忘れ防止方法。
【請求項３】
ＣＤやブルーレイやハードディスク等の記録媒体からなるデータ記録装置を請求項１記載の箱詰め時入れ忘れ防止装置に接続したデータ記録装置。
【請求項４】
請求項２に記載の箱詰め時入れ忘れ防止方法を実施後、請求項３のデータ記録装置に箱詰めデータを記録保管するデータ記録方法。
【発明の詳細な説明】
【技術分野】
【０００１】  本発明は、多数の製品や添付資料を１つの箱に収納する工程で、その製品や添付書類の入れ忘れを防止する装置と防止したデータの記録装置と防止方法に関する。
【背景技術】
【０００２】  梱包箱に収納すべき製品の重量を記録手段に予め記録しておき、梱包箱に収納する製品を複数一括して重量測定し、この重量変化と梱包箱の梱包数から算出して製品の供給量の過不足を判定する方法が提案されている。（例えば、特許文献１参照。）また、複数の附属部品を個別に収納可能な透明又は半透明の複数のポケット部が連設された収納シートと、各ポケット部に対応する各位置にポケット部を個別に収納可能な複数の収納室が上方開放状態に設けられた保護板とを梱包構造に具備させることで、入れ忘れを目視で確認できるようにする方法が提案されている。（例えば、特許文献２参照。）
【先行技術文献】
【特許文献】
【０００３】
【特許文献１】特開平７−１２５７３０号公報
【特許文献２】特開２００７−１１８９７０号公報
【発明の概要】
【発明が解決しようとする課題】
【０００４】  しかしながら、重量のばらつきのある製品や重量の軽い添付書類を複数箱詰めする場合は、複数一括の重量管理では製品の入れ忘れを検出することができないという問題があり、また、透明又は半透明の複数のポケット部が連設された収納シート等を製品の箱ごとに作成するのは、多品目少量の製品形態ではシート作成コストの負担が大きいという問題があった。また、化粧箱に入れ販売する製品は化粧箱に製品と添付書類が欠品なく入れられたことをデータとして、保証期間中残しておくことが好ましく、上記の方法では不可能であった。
【課題を解決するための手段】
【０００５】  本発明は上記の実情に鑑みてなされたものであり、その目的は箱詰め時、箱詰め担当者による入れ忘れを本人または監督者が出荷前に再確認し、不足のあった箱は開けて再度必要な製品や添付書類を入れるか、新しい箱を用意して移し、不足分の製品や添付書類を入れ不足の無いようにし、写真撮影し閉じることで、入れ忘れのない箱を出荷する方法と箱詰め画像データを長期保管する方法を提供することを目的とする。【０００６】  上記課題を解決するため本発明は、箱内の撮影の邪魔や箱詰め担当者の邪魔とならない位置に撮影用カメラを設置し、撮影画面が箱詰め担当者または監督者に見えるようカメラ用モニターやモニター付きコンピューターと接続し、箱詰め時の画像を撮影しカメラ内の記録媒体例えばＳＤカードやモニター付きコンピューター内蔵のハードディスク等の記録媒体に記録保管できるようにする。画像データから箱を特定できるよう箱に記載の連番等の撮影部分と箱内に詰めるべきものが全て入っていることが確認できる時点、例えば製品を入れ終わった時点や、添付書類が全て撮影方向から確認できる時点で写真撮影を実施した後、箱を閉め、箱詰め作業終了時にカメラ内の記録媒体やモニター付きコンピューター内臓のハードディスク等の記録媒体に記録された画像を全てモニターで再確認し、入れ忘れの有無を確認し、不足のあった箱は開けて再度必要な製品や添付書類を入れるか、新しい箱を用意して移し、不足分の製品や添付書類を入れ不足の無いようにし、写真撮影し、閉じることで、入れ忘れのない箱を出荷することができる方法と箱詰めの画像データをＣＤやブルーレイやハードディスク等の記録媒体に保管することで、箱詰めの画像データを長期保管する方法を提供する。
【発明の効果】
【０００７】  本発明に係る入れ忘れ防止装置と入れ忘れ防止方法とを用いることにより、入れ忘れのない箱を出荷する方法を提供できることと箱詰めの画像データを長期保管する方法を提供することができる。
【図面の簡単な説明】
【０００８】
【図１】管状の小型容器入り化粧箱と撮影用カメラとハードディスク内蔵モニター付きコンピューターと外付けハードディスク
【発明を実施するための形態】
【０００９】  以下、本発明の形態を図１に基づいて説明するが、本発明はこれによって何ら限定されるものではない。
【００１０】  図１に記載の箱は蓋裏と箱の側面に連番が記載された化粧箱１であり、箱詰め担当者が箱中に缶状の小型容器２を８本手詰めし、その上から説明書３や注意書き４を載せ、封をして出荷する。ハードディスク内蔵モニター付きコンピューター５は撮影用カメラ６の制御ソフトがインストールされており、モニター上の撮影ボタンをマウス７でクリックすると内臓ハードディスクや撮影カメラ６内の記録媒体に画像データを記録できるようになっている。また、撮影用カメラ６は化粧箱１の中を撮影できるよう化粧箱１の上部に設置され、オートフォーカス設定で焦点が自動で合うようになっている。
【００１１】  まず、蓋を開けた化粧箱１に８本の缶状の小型容器２を入れた時点で、モニターに全ての小型容器２と箱の蓋裏の連番が写りこんでいることを確認し、写真撮影し、次に添付する書類として大きいほうの説明書３、次いで注意書き４を箱内に入れ、両方の書類が確認できることをモニターで確認し、再度写真撮影した後、封をする。同作業を必要数実施した後、取りまとめて出荷するが、その前に撮影画像で入れ忘れの有無を確認し、不足のあった場合は箱の外側に記載された連番から、対象の箱を探し出し、不足していたものを補充し、再度写真撮影した後、封をする。
【００１２】  撮影した画像は外付けハードディスク８に保存し、容量不足となった時点で新しい外付けハードディスクに交換することで、データを保存しておくことができる。
【符号の説明】
【００１３】１    化粧箱
２    缶状の小型容器
３    説明書
４    注意書き
５    ハードディスク内蔵モニター付きコンピューター
６    撮影用カメラ
７    マウス
８    外付けハードディスク
【図１】
2016222338.tif 000003